(57)【特許請求の範囲】
【請求項１】
第１のストリップベルト；前記第１のストリップベルトの未使用部分が巻かれる第１の従動ベルトホイール；前記第１のストリップベルトの使用済み部分が巻かれる第１の駆動ベルトホイール；光ケーブルの外側被覆層の剥き取られるセグメントの２つの側縁部のうちの少なくとも一方に切込みを入れるように構成されたブレード部分と、前記第１のストリップベルトを押すように構成された加圧部分と、を有する第１のストリップツールであって、前記第１のストリップツールの前記加圧部分で前記第１のストリップベルトの弛みが取られる、第１のストリップツール；を含む、第１のストリップモジュールと、
第２のストリップベルト；前記第２のストリップベルトの未使用部分が巻かれる第２の従動ベルトホイール；前記第２のストリップベルトの使用済み部分が巻かれる第２の駆動ベルトホイール；および前記第２のストリップベルトを押すように構成された加圧部分を有する第２のストリップツールであって、前記第２のストリップツールの前記加圧部分で前記第２のストリップベルトの弛みが取られる、第２のストリップツール；を含む、第２のストリップモジュールと、
前記光ケーブルの前記外側被覆層を加熱して、前記光ケーブルの前記外側被覆層を軟化させるように構成された加熱デバイスと、
を備える自動ファイバストリップシステムであって、
前記第１のストリップツールおよび前記第２のストリップツールは、互いに協同して、それぞれ、前記第１のストリップベルトおよび前記第２のストリップベルトを前記光ケーブルの両側に押しつけ、その結果、前記光ケーブルは前記第１のストリップベルトと前記第２のストリップベルトとの間にクランプされ、
前記光ケーブルは静止状態に保持された状態で、前記第１のストリップベルトおよび前記第２のストリップベルトは、前記第１の駆動ベルトホイールおよび前記第２の駆動ベルトホイールによって駆動されて前記光ケーブルが延びる方向の直交方向に前記光ケーブルに対して移動されて、前記加熱デバイスによって軟化された前記外側被覆層の前記セグメントを前記切込みから剥き取る、
自動ファイバストリップシステム。
【請求項２】
前記加熱デバイスは、
前記第１のストリップツールを加熱し、次いで、前記第１のストリップツールを介して、前記クランプされた前記光ケーブルの前記外側被覆層を加熱するように構成された第１の加熱デバイスと、
前記第２のストリップツールを加熱し、次いで、前記第２のストリップツールを介して、前記クランプされた前記光ケーブルの前記外側被覆層を加熱するように構成された第２の加熱デバイスと、を含む、
請求項１に記載の自動ファイバストリップシステム。
【請求項３】
前記第１の加熱デバイスは第１の熱伝導性ブロックを有し、
前記第１のストリップツールは、前記第１の熱伝導性ブロックに装着されるか、または前記第１の熱伝導性ブロックに直接熱的に接触し、
前記第２の加熱デバイスは第２の熱伝導性ブロックを有し、
前記第２のストリップツールは、前記第２の熱伝導性ブロックに装着されるか、または前記第２の熱伝導性ブロックに直接熱的に接触する、
請求項２に記載の自動ファイバストリップシステム。
【請求項４】
前記第１のストリップモジュールは、前記第１のストリップベルトが使い尽くされたかどうかを検出するように構成された第１のセンサをさらに含み、
前記第２のストリップモジュールは、前記第２のストリップベルトが使い尽くされたかどうかを検出するように構成された第２のセンサをさらに含む、
請求項１に記載の自動ファイバストリップシステム。
【請求項５】
前記第１のストリップモジュールは、前記第１のストリップツールの両側に配置された１対の第１のローラをさらに含み、
前記１対の第１のローラおよび前記第１のストリップツールで前記第１のストリップベルトの弛みが取られ、
前記第２のストリップモジュールは前記第２のストリップツールの両側に配置された１対の第２のローラをさらに含み、前記１対の第２のローラおよび前記第２のストリップツールで前記第２のストリップベルトの弛みが取られる、
請求項４に記載の自動ファイバストリップシステム。
【請求項６】
前記第１のストリップモジュールは、前記第１のストリップベルトの張力を調節するように構成された第１の弛み取りローラをさらに含み、
前記第２のストリップモジュールは、前記第２のストリップベルトの張力を調節するように構成された第２の弛み取りローラをさらに含む、
請求項５に記載の自動ファイバストリップシステム。
【請求項７】
前記第１のストリップモジュールは第１の取付板に装着され、前記第２のストリップモジュールは第２の取付板に装着され、
前記第１の取付板および前記第２の取付板は、互いに対して移動可能となるように配置され、その結果、前記第１のストリップツールおよび前記第２のストリップツールは、前記光ケーブルを緩めるかまたはクランプするために互いに対して移動可能である、
請求項６に記載の自動ファイバストリップシステム。
【請求項８】
前記第１の取付板および前記第２の取付板は同じ垂直固定ベースプレートに移動可能に装着され、
前記第１の取付板は前記第２の取付板の真上に配置されている、
請求項７に記載の自動ファイバストリップシステム。
【請求項９】
垂直に延びるレールが、前記垂直固定ベースプレートに配置され、
第１のスライダが、前記第１の取付板に配置され、前記レールに沿って上方および下方に移動するように前記レールに摺動可能に係合し、
第２のスライダが、前記第２の取付板に配置され、前記レールに沿って上方および下方に移動するように前記レールに摺動可能に係合する、
請求項８に記載の自動ファイバストリップシステム。
【請求項１０】
空気噴射デバイスをさらに備え、
前記空気噴射デバイスは、
前記第１のストリップツールおよび前記第２のストリップツールに向けて空気を噴射して、前記第１のストリップツールおよび前記第２のストリップツールに付着している前記外側被覆層の残留物を取り除くように構成されている、
請求項９に記載の自動ファイバストリップシステム。
【請求項１１】
前記空気噴射デバイスは、前記第１の取付板および前記第２の取付板のうちの一方に装着される、
請求項１０に記載の自動ファイバストリップシステム。
【請求項１２】
ケーブル搬送機構をさらに備え、
前記ケーブル搬送機構は、
剥き取るべき前記光ケーブルを前記第２のストリップツールに載置し、
前記外側被覆層の前記セグメントが剥き取られる間、前記光ケーブルを静止状態に保持し、
剥き取り済み前記光ケーブルを前記第２のストリップツールから移動させるように構成されている、
請求項１０に記載の自動ファイバストリップシステム。
【請求項１３】
プレート駆動機構をさらに備え、
前記プレート駆動機構は、
前記第１の取付板に装着された前記第１のストリップツールが前記第２の取付板に装着された前記第２のストリップツールに対して移動可能となるように、前記第１の取付板を動かすように構成されている、
請求項１２に記載の自動ファイバストリップシステム。
【請求項１４】
前記垂直固定ベースプレートに装着されたカバープレートをさらに備え、
前記第１のストリップモジュールおよび前記第２のストリップモジュールを収容するための空間が、前記カバープレートと前記垂直固定ベースプレートとの間に画定され、
前記カバープレートは開口を備えており、前記開口を介して、前記第１のストリップツールと前記第２のストリップツールとの間に前記ケーブルを載置することができる、
請求項１３に記載の自動ファイバストリップシステム。
【請求項１５】
前記第２のストリップツールは、前記光ケーブルの前記外側被覆層の前記セグメントの前記２つの側縁部のうちの少なくとも一方にさらなる切込みを入れるように構成されたブレード部分をさらに含む、
請求項１に記載の自動ファイバストリップシステム。
【請求項１６】
弛みが取られた第１のストリップベルトと弛みが取られた第２のストリップベルトとの間に、剥き取るべきケーブルをクランプし、前記ケーブルの外側被覆層の剥ぎ取られるセグメントの２つの側縁部のうちの少なくとも一方に切込みを入れるステップと、
前記切込みが形成された前記ケーブルの前記外側被覆層を加熱して前記ケーブルの前記外側被覆層を軟化させるステップと、
前記ケーブルを静止状態に保持しつつ、前記第１のストリップベルトおよび前記第２のストリップベルトを前記ケーブルが延びる方向の直交方向に駆動して、軟化した前記外側被覆層の前記セグメントを、前記切込みから、前記第１のストリップベルトおよび前記第２のストリップベルトで剥き取るステップと、
弛みが取られた前記第１のストリップベルトと弛みが取られた前記第２のストリップベルトとを引き離すステップと、
前記外側被覆層の前記セグメントが剥き取られた前記ケーブルを取り外すステップと、を含む、
自動ファイバストリップ方法。
【請求項１７】
前記ケーブルをクランプするステップでは、前記第１のストリップベルトを第１のストリップツールにより押し、かつ前記第２のストリップベルトを第２のストリップツールにより押して、前記第１のストリップベルトおよび前記第２のストリップベルトを前記ケーブルの両側に押しつけることによりクランプし、
前記ケーブルの前記外側被覆層の前記セグメントを剥き取った後、前記第１のストリップツールおよび前記第２のストリップツールに向けて空気を噴射して、前記第１のストリップツールおよび前記第２のストリップツールに付着している前記外側被覆層の残留物を取り除くステップをさらに含む、
請求項１６に記載の自動ファイバストリップ方法。
【請求項１８】
前記ケーブルの前記外側被覆層の前記セグメントは、請求項１に記載の自動ファイバストリップシステムを使用することによって剥き取られる、
請求項１６に記載の自動ファイバストリップ方法。
【発明の詳細な説明】
【技術分野】
【０００１】
関連出願の相互参照
本発明は、２０１５年８月１７日に中国国家知識産権局に出願された中国特許出願第２０１５１０５０４１０６．Ｘ号の利益を主張し、その開示全体が、参照により本明細書に組み込まれる。
【０００２】
本開示の実施形態は、自動ファイバストリップシステムおよび方法に関する。
【背景技術】
【０００３】
光ファイバコネクタは、一般に、ハウジングと、ハウジング内に組み立てられたフェルールアセンブリとを含む。フェルールアセンブリは、フェルールと、フェルールの穴に挿入された光ファイバとを含む。フェルールアセンブリを製造する既存の方法は、一般に、最初に、ケーブルの外側被覆層をある長さ剥き取って、ある長さの裸ファイバ（bare fiber）を露出させることと、第２に、露出した裸ファイバをクリーニングして、ファイバ上の残留物、例えば外側被覆層の残留物を取り除くことと、第３に、クリーニングした裸ファイバをフェルールの穴に挿入することと、最後に、フェルール中の接着剤を加熱し硬化させて、ファイバをフェルールに固定することとを含む。その結果、フェルールアセンブリが完全に製造される。
【０００４】
先行技術では、外側被覆層は、一般に、手作業でケーブルから剥き取られる。手作業のストリップ方法は効率が低い。しかも外側被覆層を剥き取る間にファイバを損傷し、そのために、ファイバの光学性能が低下しやすい。
【発明の概要】
【発明が解決しようとする課題】
【０００５】
本開示は、先行技術における上述の問題および欠点の少なくとも１つの面を解決することを目的とする。
【０００６】
本開示の目的は、自動ファイバストリップシステムを提供することであり、その自動ファイバストリップシステムは、光ケーブルの外側被覆層のセグメントを自動的に剥き取ることができ、光ファイバは外側被覆層を剥き取る間に損傷されず、その結果、光ファイバの光学性能を保証することができる。
【課題を解決するための手段】
【０００７】
本開示の一態様によれば、第１のストリップモジュールと、第２のストリップモジュールと、加熱デバイスとを備える自動ファイバストリップシステムが提供される。第１のストリップモジュールは、第１のストリップベルトと、第１のストリップベルトの未使用部分が巻かれる第１の従動ベルトホイールと、第１のストリップベルトの使用済み部分が巻かれる第１の駆動ベルトホイールと、光ケーブルの外側被覆層の２つの側縁部のうちの少なくとも一方に切込みを入れるように構成されたブレード部分、および第１のストリップベルトを押すように構成された加圧部分を有する第１のストリップツールであり、第１のストリップツールの加圧部分で第１のストリップベルトの弛みを取る、第１のストリップツールとを含む。第２のストリップモジュールは、第２のストリップベルトと、第２のストリップベルトの未使用部分が巻かれる第２の従動ベルトホイールと、第２のストリップベルトの使用済み部分が巻かれる第２の駆動ベルトホイールと、第２のストリップベルトを押すように構成された加圧部分を有する第２のストリップツールであり、第２のストリップツールの加圧部分で第２のストリップベルトの弛みを取る、第２のストリップツールとを含む。
加熱デバイスは、光ケーブルの外側被覆層を加熱して光ケーブルの外側被覆層を軟化させるように構成される。第１のストリップツールおよび第２のストリップツールは、互いに協同して、それぞれ、第１のストリップベルトおよび第２のストリップベルトを光ケーブルの両側に押しつけ、その結果、光ケーブルは第１のストリップベルトと第２のストリップベルトとの間にクランプされる。第１のストリップベルトおよび第２のストリップベルトは、第１の駆動ベルトホイールおよび第２の駆動ベルトホイールの駆動によって光ケーブルに対して移動されて、加熱デバイスによって軟化された外側被覆層のセグメントを切込みから剥き取る。
【０００８】
本開示の例示的な実施形態によれば、加熱デバイスは、第１のストリップツールを加熱し、次いで、第１のストリップツールを介して、クランプされた光ケーブルの外側被覆層を加熱するように構成された第１の加熱デバイスと、第２のストリップツールを加熱し、次いで、第２のストリップツールを介して、クランプされた光ケーブルの外側被覆層を加熱するように構成された第２の加熱デバイスとを含む。
【０００９】
本開示の例示的な実施形態によれば、第１の加熱デバイスは第１の熱伝導性ブロックを有し、第１のストリップツールは、第１の熱伝導性ブロックに装着されるか、または第１の熱伝導性ブロックに直接熱的に接触し、第２の加熱デバイスは第２の熱伝導性ブロックを有し、第２のストリップツールは、第２の熱伝導性ブロックに装着されるか、または第２の熱伝導性ブロックに直接熱的に接触する。
【００１０】
本開示の例示的な実施形態によれば、第１のストリップモジュールは、第１のストリップベルトが使い尽くされたかどうかを検出するように構成された第１のセンサをさらに含み、第２のストリップモジュールは、第２のストリップベルトが使い尽くされたかどうかを検出するように構成された第２のセンサをさらに含む。
【００１１】
本開示の例示的な実施形態によれば、第１のストリップモジュールは第１のストリップツールの両側に配置された１対の第１のローラをさらに含み、１対の第１のローラおよび第１のストリップツールで第１のストリップベルトの弛みが取られ、第２のストリップモジュールは第２のストリップツールの両側に配置された１対の第２のローラをさらに含み、１対の第２のローラおよび第２のストリップツールで第２のストリップベルトの弛みが取られる。
【００１２】
本開示の例示的な実施形態によれば、第１のストリップモジュールは、第１のストリップベルトの張力を調節するように構成された第１の弛み取りローラ（ｔｉｇｈｔｅｎｉｎｇ  ｒｏｌｌｅｒ）をさらに含み、第２のストリップモジュールは、第２のストリップベルトの張力を調節するように構成された第２の弛み取りローラをさらに含む。
【００１３】
本開示の例示的な実施形態によれば、第１のストリップモジュールは第１の取付板に装着され、第２のストリップモジュールは第２の取付板に装着され、第１の取付板および第２の取付板は互いに対して移動可能となるように配置され、その結果、第１のストリップツールおよび第２のストリップツールは、光ケーブルを緩めるかまたはクランプするために互いに対して移動可能である。
【００１４】
本開示の例示的な実施形態によれば、第１の取付板および第２の取付板は同じ垂直固定ベースプレートに移動可能に装着され、第１の取付板は第２の取付板の真上に配置されている。
【００１５】
本開示の例示的な実施形態によれば、垂直に延びるレールが固定ベースプレートに配置される。第１のスライダは、第１の取付板に配置され、レールに沿って上方および下方に移動するようにレールに摺動可能に係合する。第２のスライダは、第２の取付板に配置され、レールに沿って上方および下方に移動するようにレールに摺動可能に係合している。
【００１６】
本開示の例示的な実施形態によれば、自動ファイバストリップシステムは、第１のストリップツールおよび第２のストリップツールに向けて空気を噴射して、第１のストリップツールおよび第２のストリップツールに付着している外側被覆層の残留物を取り除くように構成された空気噴射デバイスをさらに備える。
【００１７】
本開示の例示的な実施形態によれば、空気噴射デバイスは、第１の取付板および第２の取付板のうちの一方に装着される。
【００１８】
本開示の例示的な実施形態によれば、自動ファイバストリップシステムは、剥き取るべきケーブルを第２のストリップツールに載置し、剥き取り済みケーブルを第２のストリップツールから移動させるように構成されたケーブル搬送機構をさらに備える。
【００１９】
本開示の例示的な実施形態によれば、自動ファイバストリップシステムは、第１の取付板に装着された第１のストリップツールが第２の取付板に装着された第２のストリップツールに対して移動可能となるように、第１の取付板を動かすように構成されたプレート駆動機構をさらに備える。
【００２０】
本開示の例示的な実施形態によれば、自動ファイバストリップシステムは、固定ベースプレートに装着されたカバープレートをさらに備える。第１のストリップモジュールおよび第２のストリップモジュールを収容するための空間が、カバープレートとベースプレートとの間に画定される。カバープレートは開口を備えており、開口を介して、第１のストリップツールと第２のストリップツールとの間にケーブルを載置することができる。
【００２１】
本開示の例示的な実施形態によれば、第２のストリップツールは、光ケーブルの外側被覆層の２つの側縁部のうちの少なくとも一方にさらなる切込みを入れるように構成されたブレード部分をさらに含む。
【００２２】
本開示の別の態様によれば、自動ファイバストリップ方法が提供され、自動ファイバストリップ方法は、
弛みが取られた第１のストリップベルトと弛みが取られた第２のストリップベルトとの間に剥き取るべきケーブルをクランプし、ケーブルの外側被覆層の２つの側縁部のうちの少なくとも一方に切込みを入れるステップと、
切込みが形成されたケーブルの外側被覆層を加熱してケーブルの外側被覆層を軟化させるステップと、
第１のストリップベルトおよび第２のストリップベルトを駆動して、軟化した外側被覆層のセグメントを、切込みから、第１のストリップベルトおよび第２のストリップベルトで剥き取るステップと、
弛みが取られた第１のストリップベルトと弛みが取られた第２のストリップベルトとを引き離すステップと、
外側被覆層のセグメントが剥き取られたケーブルを取り外すステップと、を含む。
【００２３】
本開示の例示的な実施形態によれば、自動ファイバストリップ方法は、外側被覆層の残留物を取り除くステップをさらに含む。すなわち、ケーブルの外側被覆層のセグメントを剥き取った後、第１のストリップツールおよび第２のストリップツールに向けて空気を噴射して、第１のストリップツールおよび第２のストリップツールに付着している外側被覆層の残留物を取り除くステップをさらに含む。
【００２４】
本開示の例示的な実施形態によれば、ケーブルは、第１のストリップベルトおよび第２のストリップベルトで外側被覆層のセグメントを剥き取る間静止状態に保持される。
【００２５】
本開示の例示的な実施形態によれば、ケーブルの外側被覆層のセグメントは、上述の実施形態のいずれか１つに記載の自動ファイバストリップシステムを使用することによって剥き取られる。
【００２６】
上述の実施形態において、自動ファイバストリップシステムを使用することによって、光ケーブルの外側被覆層のセグメントを自動的に剥き取ることができ、その結果、光ケーブルの外側被覆層を剥き取る効率を向上させることができる。光ファイバは外側被覆層を剥き取る間に損傷されないことになり、その結果、光ファイバの光学性能を保証することができる。
【００２７】
本開示の他の目的および利点は、以下の添付図面を参照して本開示を説明することによってより明白になるであろう。本説明は、さらに、本開示の完全な理解を与える助けになることができる。
【００２８】
本開示の上述のおよび他の特徴は、添付図面を参照しながら本開示の例示的な実施形態を詳細に説明することによってより明白になるであろう。
【図面の簡単な説明】
【００２９】
【図１】本開示の一実施形態による多穴フェルールの概略斜視図である。
【図２】本開示の一実施形態によるリボンケーブルの概略斜視図である。
【図３】本開示の一実施形態による自動ファイバストリップシステムの概略斜視図である。
【図４】図３の自動ファイバストリップシステムの背面図であり、加熱デバイスが示されている。
【図５】本開示の一実施形態による自動ファイバストリップシステムの概略斜視図であり、カバープレートが示されている。
【図６】本開示の一実施形態による自動ファイバストリップシステムのケーブル搬送機構の概略斜視図である。
【発明を実施するための形態】
【００３０】
本開示の技術的解決策が、さらに、添付図面と組み合わせて以下の実施形態で具体的に説明される。同じまたは同様の参照番号は、本明細書の同じまたは同様の部分を示す。図面を参照した本開示の実施形態の以下の説明は、本発明の一般的な発明概念を説明することを意図しており、本発明への限定として解釈することはできない。
【００３１】
その上、以下の詳細な説明では、説明の便宜上、いくつかの特定の詳細が、開示する実施形態への完全な理解を与えるように説明される。しかしながら、１つまたは複数の実施形態はこれらの特定の詳細なしに実施され得ることは明らかである。他の場合には、よく知られている構造およびデバイスは、図面を簡単にするためにイラストレーションの形態で具現される。
【００３２】
本発明の一般的な技術的概念によれば、第１のストリップモジュールと、第２のストリップモジュールと、加熱デバイスとを備える自動ファイバストリップシステムが提供される。第１のストリップモジュールは、第１のストリップベルトと、第１のストリップベルトの未使用部分が巻かれる第１の従動ベルトホイールと、第１のストリップベルトの使用済み部分が巻かれる第１の駆動ベルトホイールと、第１のストリップツールとを含む。第１のストリップツールは、光ケーブルの外側被覆層の２つの側縁部のうちの少なくとも一方に切込みを入れるように構成されたブレード部分、および第１のストリップベルトを押すように構成された加圧部分を有し、第１のストリップツールの加圧部分で第１のストリップベルトの弛みが取られる。第２のストリップモジュールは、第２のストリップベルトと、第２のストリップベルトの未使用部分が巻かれる第２の従動ベルトホイールと、第２のストリップベルトの使用済み部分が巻かれる第２の駆動ベルトホイールと、第２のストリップツールとを含む。第２のストリップツールは、第２のストリップベルトを押すように構成された加圧部分を有し、第２のストリップツールの加圧部分で第２のストリップベルトの弛みが取られる。
加熱デバイスは、光ケーブルの外側被覆層を加熱して光ケーブルの外側被覆層を軟化させるように構成される。第１のストリップツールおよび第２のストリップツールは、互いに協同して、それぞれ、第１のストリップベルトおよび第２のストリップベルトを光ケーブルの両側に押しつけ、その結果、光ケーブルは第１のストリップベルトと第２のストリップとの間にクランプされる。第１のストリップベルトおよび第２のストリップベルトは、第１の駆動ベルトホイールおよび第２の駆動ベルトホイールの駆動によって光ケーブルに対して移動されて、加熱デバイスによって軟化された外側被覆層のセグメントを剥き取る。
【００３３】
図１は、本開示の一実施形態による多穴フェルール１０の概略斜視図である。
【００３４】
図１に示すように、多穴フェルール１０は、多穴フェルール１０に沿って長手方向に延びる複数の穴１２と、多穴フェルール１０の上部に形成された注入開口１１とを有する。
【００３５】
図２は、本開示の一実施形態によるリボンケーブル２０の概略斜視図である。
【００３６】
図２に示すように、リボンケーブル２０は、複数の光ファイバ２２と、光ファイバ２２を覆っているクラッド層２１とを有する。ある長さのクラッド層２１を剥き取って、光ファイバ２２の一部を露出させる。
【００３７】
図１および図２に示したように、本開示の一実施形態では、製造すべきフェルールアセンブリは、図１に示したような多穴フェルール１０と、多穴フェルール１０の穴１２に挿入され固定される光ファイバ２２とを含む。
【００３８】
この実施形態において、光ファイバ２２は、多穴フェルール１０の後端部１０ｂの挿入ポートから挿入され、多穴フェルール１０の前端部１０ａから既定の距離だけ突き出る。
【００３９】
この実施形態において、光ファイバ２２が多穴フェルール１０の穴１２に挿入される前に光ファイバ２２の表面をクリーニングする必要がある。
【００４０】
図３は、本開示の一実施形態による自動ファイバストリップシステムの概略斜視図である。図４は、図３の自動ファイバストリップシステムの背面図であり、加熱デバイスが示されている。
【００４１】
例示的な実施形態において、自動ファイバストリップシステムを開示する。図３および図４に示すように、自動ファイバストリップシステムは、主として、第１のストリップモジュール（上部ストリップモジュールとも呼ぶ）と、第２のストリップモジュール（下部ストリップモジュールとも呼ぶ）と、加熱デバイスとを含む。
【００４２】
図３に示すように、第１のストリップモジュールは、主として、第１のストリップベルト（図示せず）と、第１の従動ベルトホイール１２０、第１の駆動ベルトホイール１１０、および第１のストリップツール１６０とを含む。第１のストリップベルトの未使用部分（すなわち、光ケーブル２０の外側被覆層２１にまだ接触させていない部分）は、第１の従動ベルトホイール１２０に巻かれる。第１のストリップベルトの使用済み部分（すなわち、光ケーブル２０の外側被覆層２１をクランプした部分であり、剥き取られた外側被覆層２１が付着している部分）は、第１の駆動ベルトホイール１１０に巻かれる。第１のストリップツール１６０は、光ケーブル２０の外側被覆層２１の２つの側縁部のうちの少なくとも一方に切込みを入れるように構成されたブレード部分と、第１のストリップベルトを押すように構成された加圧部分とを有する。さらに、第１の駆動ベルトホイール１１０と第１の従動ベルトホイール１２０との間の第１のストリップベルトは、第１のストリップツール１６０の加圧部分で弛みが取られる。
【００４３】
同様に、図３に示すように、第２のストリップモジュールは、主として、第２のストリップベルト（図示せず）と、第２の従動ベルトホイール２２０、第２の駆動ベルトホイール２１０、および第２のストリップツール２６０とを含む。第２のストリップベルトの未使用部分（すなわち、光ケーブル２０の外側被覆層２１にまだ接触させていない部分）は、第２の従動ベルトホイール２２０に巻かれる。第２のストリップベルトの使用済み部分（すなわち、第１のストリップツール１６０と協同することによって光ケーブル２０の外側被覆層２１をクランプした部分であり、剥き取られた外側被覆層２１が付着している部分）は、第２の駆動ベルトホイール２１０に巻かれる。第２のストリップツール２６０は、光ケーブル２０の外側被覆層２１の２つの側縁部のうちの少なくとも一方にさらなる切込みを入れるように構成されたブレード部分と、第２のストリップベルトを押すように構成された加圧部分とを有する。さらに、第２の駆動ベルトホイール２１０と第２の従動ベルトホイール２２０との間の第２のストリップベルトは、第２のストリップツール２６０で弛みが取られる。
【００４４】
第１のストリップツール１６０および／または第２のストリップツール２６０のブレード部分は、第１のストリップベルトおよび／または第２のストリップベルトがブレード部分に介在していない限り、光ケーブル２０の外側被覆層２１の垂直または水平方向に切込みを入れるように構成することができることを当業者は理解されよう。図３および図４に示すように、加熱デバイス１９０、２９０は、光ケーブル２０の外側被覆層２１を加熱して光ケーブル２０の外側被覆層２１を軟化させるように構成される。
【００４５】
例示的な実施形態において、図３に示すように、第１のストリップツール１６０および第２のストリップツール２６０は、互いに協同して、それぞれ、第１のストリップベルトおよび第２のストリップベルトを光ケーブル２０の両側に押しつけ、その結果、光ケーブル２０が第１のストリップベルトと第２のストリップベルトとの間にクランプされるように構成される。このようにして、第１の駆動ベルトホイール１１０および第２の駆動ベルトホイール２１０の駆動によって、第１のストリップベルトおよび第２のストリップベルトが光ケーブル２０に対して移動されている間に、第１のストリップベルトおよび第２のストリップベルトは、互いに協同して、第１のストリップツール１６０および／または第２のストリップツール２６０のブレード部分によって外側被覆層２１の２つの側縁部のうちの少なくとも一方に切込みが形成され加熱デバイス１９０、２９０によって軟化された外側被覆層２１の２つの反対側の表面をクランプし、その結果、光ケーブル２０の外側被覆層２１は、第１の駆動ベルトホイール１１０および第２の駆動ベルトホイール２１０によって自動的に剥き取られる。
【００４６】
例示的な実施形態において、図３および図４に示すように、加熱デバイス１９０、２９０は、第１の加熱デバイス１９０と第２の加熱デバイス２９０とを含む。第１の加熱デバイス１９０は、第１のストリップツール１６０を加熱し、次いで、第１のストリップツール１６０を介して、クランプされた光ケーブル２０の外側被覆層２１を加熱するように構成される。第２の加熱デバイス２９０は、第２のストリップツール２６０を加熱し、次いで、第２のストリップツール２６０を介して、クランプされた光ケーブル２０の外側被覆層２１を加熱するように構成される。
【００４７】
例示的な実施形態において、図３および図４に示すように、第１の加熱デバイス１９０は第１の熱伝導性ブロック１９１を有し、第１の熱伝導性ブロック１９１に第１のストリップツール１６０が装着されるか、または第１の熱伝導性ブロック１９１が第１のストリップツール１６０に直接熱的に接触する。同様に、第２の加熱デバイス２９０は第２の熱伝導性ブロック２９１を有し、第２の熱伝導性ブロック２９１に第２のストリップツール２６０が装着されるか、または第２の熱伝導性ブロック２９１が第２のストリップツール２６０に直接熱的に接触する。
【００４８】
例示的な実施形態において、図３に示すように、第１のストリップモジュールは、第１のストリップベルトが使い尽くされたかどうかを検出するように構成された第１のセンサ１７０をさらに含む。同様に、第２のストリップモジュールは、第２のストリップベルトが使い尽くされたかどうかを検出するように構成された第２のセンサ２７０をさらに含む。図示の実施形態では、第１のセンサ１７０および第２のセンサ２７０は視覚センサを含むことができる。
【００４９】
例示的な実施形態において、図３に示すように、第１のストリップモジュールは１対の第１のローラ１３０、１４０をさらに含み、１対の第１のローラ１３０、１４０はそれぞれ第１のストリップツール１６０の両側に配置され、第１のストリップベルトは１対の第１のローラ１３０、１４０および第１のストリップツール１６０で弛みが取られる。同様に、第２のストリップモジュールは１対の第２のローラ２３０、２４０をさらに含み、１対の第２のローラ２３０、２４０はそれぞれ第２のストリップツール２６０の両側に配置され、第２のストリップベルト２６０は、１対の第２のローラ２３０、２４０および第２のストリップツール２６０で弛みが取られる。
【００５０】
例示的な実施形態において、図３に示すように、第１のストリップモジュールは、第１のストリップベルトの張力を調節するように構成された第１の弛み取りローラ１５０をさらに含む。例えば、第１のストリップベルトの張力は、第１の弛み取りローラ１５０を異なる位置に固定することによって調節することができる。同様に、第２のストリップモジュールは、第２のストリップベルトの張力を調節するように構成された第２の弛み取りローラ２５０をさらに含む。例えば、第２のストリップベルトの張力は、第２の弛み取りローラ２５０を異なる位置に固定することによって調節することができる。
【００５１】
例示的な実施形態において、図３に示すように、第１のストリップモジュールは第１の取付板１００に装着され、第２のストリップモジュールは第２の取付板２００に装着される。図示の実施形態では、第１の取付板１００および第２の取付板２００は、互いに対して移動可能となるように配置され、その結果、第１のストリップツール１６０および第２のストリップツール２６０は、光ケーブル２０を緩めるかまたはクランプするために互いに対して移動可能である。
【００５２】
図３に示すような例示的な実施形態において、第１の取付板１００および第２の取付板２００は、同じ垂直固定ベースプレート１０００に移動可能に装着され、第１の取付板１００は、第２の取付板２００の真上に配置される。
【００５３】
図３に示すような例示的な実施形態において、垂直に延びるレール１１００が、固定ベースプレート１０００に配置される。第１のスライダ１０１が、第１の取付板１００に配置され、レール１１００に沿って上方および下方に移動するようにレール１１００に摺動可能に係合する。そして、第２のスライダ２０１が、第２の取付板２００に配置され、レール１１００に沿って上方および下方に移動するようにレール１１００に摺動可能に係合する。
【００５４】
図示していないが、一実施形態において、自動ファイバストリップシステムは、第１の取付板１００を固定ベースプレート１０００に対して動かすように構成されたプレート駆動機構をさらに備えることができる。それにより、第１の取付板１００に装着された第１のストリップツール１６０は、第２の取付板２００に装着された第２のストリップツール２６０に対して移動可能である。
【００５５】
図３に示すような例示的な実施形態において、自動ファイバストリップシステムは、第１のストリップツール１６０および第２のストリップツール２６０に向けて空気を噴射して、第１のストリップツール１６０および第２のストリップツール２６０に付着している外側被覆層２１の残留物を取り除くように構成された空気噴射デバイス２８０をさらに備えることができる。
【００５６】
例示的な実施形態において、図３に示すように、空気噴射デバイス２８０は、第１の取付板１００および第２の取付板２００のうちの一方に装着される。図示の実施形態では、空気噴射デバイス２８０は第２の取付板２００に装着されている。
【００５７】
図５は、本開示の一実施形態による自動ファイバストリップシステムの概略斜視図であり、カバープレート２０００が示されている。
【００５８】
例示的な実施形態おいて、図３から図５に示すように、自動ファイバストリップシステムは、固定ベースプレート１０００に装着されたカバープレート２０００をさらに備えることができる。第１のストリップモジュールおよび第２のストリップモジュールを収容するための空間が、カバープレート２０００とベースプレート１０００との間に画定される。このようにして、第１のストリップツール１６０および第２のストリップツール２６０から吹き飛ばされた外側被覆層２１の残留物は、飛び散る代わりに空間の底部に落ちることになる。
【００５９】
図５に示すように、カバープレート２０００は開口２１００を備えており、開口２１００を介して、第１のストリップツール１６０と第２のストリップツール２６０との間に光ケーブル２０を載置することができる。
【００６０】
図６は、本開示の一実施形態による自動ファイバストリップシステムのケーブル搬送機構の概略斜視図である。
【００６１】
例示的な実施形態において、図６に示すように、自動ファイバストリップシステムは、ケーブル搬送機構４００をさらに備えることができる。ケーブル搬送機構４００は、第２のストリップツール２６０の真上に配置された第２のストリップベルトに剥き取るべき光ケーブル２０を載置し、剥き取り済み光ケーブル２０を第２のストリップツール２６０から移動させるように構成される。
【００６２】
例示的な実施形態において、図６に示すように、ケーブル搬送機構４００は、互いに垂直な第１の方向、第２の方向、および第３の方向に移動可能な搬送部を含む。光ケーブル２０は、ケーブル搬送機構４００のクランプに搬送部で保持し固定することができる。しかしながら、本開示は図示の実施形態に限定されず、ケーブル搬送機構４００は、光ケーブル２０を保持し移動させるように構成されたマニピュレータまたはロボットをさらに含むことができる。
【００６３】
例示的な実施形態において、光ケーブル２０は、第１のストリップベルトおよび第２のストリップベルトで光ケーブル２０の外側被覆層２１を剥き取る間、ケーブル搬送機構４００によって静止状態に保持される。
【００６４】
上述の実施形態において、第１のストリップベルトおよび第２のストリップベルトは、クリーンな織物ベルトまたは任意の他の好適なストリップベルトとすることができる。
【００６５】
次に、本開示の一実施形態による自動ファイバストリップ方法を、図１から図６を参照して詳細に説明する。自動ファイバストリップ方法は、主として、
第１の取付板１００を上方に移動させて、第１のストリップツール１６０と第２のストリップツール２６０とを引き離し、弛みが取られた第１のストリップベルトと弛みが取られた第２のストリップベルトとを引き離すステップと、
剥き取るべき光ケーブル２０をケーブル搬送機構４００に固定するステップと、
第２のストリップツール２６０の真上に配置された第２のストリップベルトに剥き取るべき光ケーブル２０をケーブル搬送機構４００によって載置するステップと、
第１の取付板１００を下方に動かして、剥き取るべき光ケーブル２０を、弛みが取られた第１のストリップベルトと弛みが取られた第２のストリップベルトとの間にクランプするステップと、
第１のストリップツール１６０および／または第２のストリップツール２６０によって光ケーブル２０の外側被覆層２１の２つの側縁部のうちの少なくとも一方に切込みを入れるステップと、
切込みが形成された光ケーブル２０の外側被覆層２１を加熱して光ケーブル２０の外側被覆層２１を軟化させるステップと、
第１の駆動ベルトホイール１１０および第２の駆動ベルトホイール２１０によって第１のストリップベルトおよび第２のストリップベルトを駆動して、軟化した光ケーブル２０の外側被覆層２１のセグメントを、切込みから、第１のストリップベルトおよび第２のストリップベルトで剥き取るステップと、
第１の取付板１００を上方に移動させて、弛みが取られた第１のストリップベルトと弛みが取られた第２のストリップベルトとを引き離すステップと、
外側被覆層のセグメントが剥き取られた光ケーブルをケーブル搬送機構４００によって取り外すステップと、を含む。
【００６６】
本開示の例示的な実施形態において、この方法は、光ケーブル２０の外側被覆層２１のセグメントを剥き取った後、空気噴射デバイス２８０によって第１のストリップツール１６０および第２のストリップツール２６０に向けて空気を噴射して、第１のストリップツール１６０および第２のストリップツール２６０に付着している外側被覆層２１の残留物を取り除くステップをさらに含むことができる。
【００６７】
本開示の例示的な実施形態において、光ケーブル２０は、第１のストリップベルトおよび第２のストリップベルトで光ケーブル２０の外側被覆層２１のセグメントを剥き取る間、ケーブル搬送機構４００によって静止状態に保持される。
【００６８】
上述の実施形態において、剥き取り済み光ファイバは、リボンケーブル２０の複数の裸ファイバ２２を含むが、しかしながら、本開示はそれに限定されず、剥き取り済み光ファイバは、丸形ケーブルの単一ファイバをさらに含むことができる。
【００６９】
添付図面を参照して本発明を説明したが、図面を参照して開示した実施形態は、本発明の実施態様の例示的な例証を行うように意図しているが、本発明への限定として解釈することはできない。
【００７０】
一般的な発明概念のいくつかの実施形態を示し説明したが、これらの実施形態は一般的な発明概念の原理および趣旨から逸脱することなく変更することができ、本発明の範囲は特許請求の範囲およびその均等物によって定義されることを当業者は理解すべきである。
【００７１】
「備えている、含んでいる（ｃｏｍｐｒｉｓｉｎｇ）」、「備える、含む（ｃｏｍｐｒｉｓｅ）」、「含んでいる（ｉｎｃｌｕｄｉｎｇ）」、および、「含む（ｉｎｃｌｕｄｅ）」という用語は、他の要素またはステップを排除しないものとして理解されるべきであり、「１つの（ａ）」または「１つの（ａｎ）」という単語は複数の前記要素またはステップを排除しないものとして理解されるべきであることに留意されたい。加えて、特許請求の範囲におけるいかなる参照番号も本発明の範囲を限定するものとして理解されるべきではない。
【図１】
0006513886.tif 000002
【図２】
0006513886.tif 000003
【図３】
0006513886.tif 000004
【図４】
0006513886.tif 000005
【図５】
0006513886.tif 000006
【図６】
0006513886.tif 000007